(57)【要約】【課題】可動ルーバの横フィンを下向きに調整したとき、下向き送風の指向性を改善することができるレジスタを提供する。【解決手段】空気吹出口８近傍の下壁７にフィン収容室１４が形成される。フィン収容室１４内に前可動ルーバ３の最下段の横フィン３３Ａが収容可能に配設される。最下段の横フィン３３Ａの連結軸３３ｂがリンクバー３４の最下部に形成された長孔３４ｂに係合する。前可動ルーバ３の横フィン３３を下向きに調整したとき、最下段の横フィン３３Ａは、横フィンの後方部分をフィン収容室１４から通風路９側に突き出して、他の横フィンと同様に下向きに回動し、前可動ルーバ３の横フィンを下向きに調整した場合を除き、最下段の横フィン３３Ａは正面水平向きとなってフィン収容室１４内に収容される。【選択図】図６
0003161206.tif 000002
【実用新案登録請求の範囲】
【請求項１】
下壁と上壁を有する通風路の空気吹出口近傍に可動ルーバが配設され、該可動ルーバには複数の横フィンが枢軸を介して回動可能に並設され、該複数の横フィンの一端には連結軸が上流側に変位して突設され、該複数の横フィンの該各連結軸が１本のリンクバーにより連結され、該複数の横フィンを上下に連係回動させて風向を上下に調整するレジスタにおいて、
該空気吹出口近傍の該下壁にフィン収容室が形成され、該フィン収容室内に該可動ルーバの最下段の横フィンが収容可能に配設され、
該最下段の横フィンの該連結軸は該リンクバーの最下部に形成された長孔に係合され、
該可動ルーバの横フィンを下向きに調整したとき、該最下段の横フィンは、該横フィンの上流側端部を該フィン収容室から通風路側に突き出して、他の横フィンと同様に下向きに回動し、該可動ルーバの横フィンを下向きに調整したとき以外には、該最下段の横フィンは正面水平向きとなって該フィン収容室内に収容されることを特徴とするレジスタ。
【請求項２】
前記リンクバーに設けた長孔は、該リンクバーの略長手方向に沿って略円弧状に形成され、前記可動ルーバの複数の横フィンを下向きに調整し、該リンクバーが上に移動するとき、該リンクバーの長孔の下縁部に、最下段の横フィンの連結軸が係合して該横フィンが下向きに回動し、該複数の横フィンが下向きの状態から正面方向を経て上向き回動したとき、該リンクバーの長孔の上縁部が該最下段の横フィンの連結軸に係合して該最下段の横フィンが前記フィン収容室内に水平状態で収容されることを特徴とする請求項１記載のレジスタ。
【請求項３】
前記空気吹出口がレジスタの正面を形成するベゼルに形成され、前記空気吹出口近傍の下壁は該ベゼルにおける該空気吹出口の下側縁部から内側に立ち下った位置に形成され、前記フィン収容室は該空気吹出口の下側縁部から内側に立ち下った位置から上流側の該下壁に形成されていることを特徴とする請求項１記載のレジスタ。
【請求項４】
前記可動ルーバの上流側に後可動ルーバが複数の縦フィンを並設して配置され、該縦フィンの下側の枢軸を軸支する軸受部材が前記下壁を形成し、該軸受部材の軸孔近傍に設けた膨出部と前記空気吹出口の下側縁部との間に前記フィン収容室が形成されていることを特徴とする請求項３記載のレジスタ。
【考案の詳細な説明】
【技術分野】
【０００１】
本考案は、自動車室内等の換気や空調の空気吹出部に使用されるレジスタに関し、特に通風路内に複数の横フィンを並設した可動ルーバを有し、横フィンを回動させて風向を上下に調整するレジスタに関する。
【背景技術】
【０００２】
自動車用の空調用レジスタとして、風向を調整するためにベゼル又はリテーナの通風路内に、前可動ルーバと後可動ルーバを前後し且つ各々のフィンを直交するように配し、前可動ルーバの横フィン上に摺動可能に外嵌させた操作ノブなどを操作して、前可動ルーバ又は後可動ルーバのフィンを回動させ、風向を調整するレジスタが、下記特許文献１などで知られている。
【０００３】
この種のレジスタは、通常、図１０に示すように、縦フィン５４を回動可能に軸支し並設した後可動ルーバ５３の前方に、前可動ルーバ５１が配設され、前可動ルーバ５１は、複数の横フィン５２を、間隔をおいて横水平方向に並設する共に、各横フィン５２を上下に回動可能に軸支し、各横フィン５２の一端に突設された各連結軸に１本のリンクバーを連結させて、各横フィン５２が連係してその向きを上下に調整可能として構成され、空気吹出口５５からの送風を上下に変える場合、前可動ルーバ５１の各横フィン５２を上方にまたは下方に回動させて、風向を上下方向に調整するようになっている。
【０００４】
しかし、この種の従来のレジスタは、その前可動ルーバ５１の各横フィン５２が、通常、図１０に示すように、横フィンの下流側に変位させた枢軸５２ａで回動可能に軸支されていることから、図１０の仮想線に示す如く、最下段の横フィン５２を上に向けるように調整した際、通風路の下壁５６との干渉を避けて横フィン５２の上流側の端部を下方に回動可能とするために、最下段の横フィン５２と下壁５６の間に、広い隙間Ｓ（スペース）を生じさせている。
【先行技術文献】
【特許文献】
【０００５】
【特許文献１】特開２００４−２１０１１７号公報
【考案の概要】
【考案が解決しようとする課題】
【０００６】
このため、図１０のように、前可動ルーバ５１の横フィン５２を下向きに回動したとき、図１０の矢印の如く、その最下段の横フィン５２の下側の隙間Ｓから、正面直進方向に送風が発生する一方、下向きの横フィン５２の周囲からは、横フィン５２によってガイドされた斜め下向きの送風が発生する。このため、下向きの送風と正面直進方向の送風とが干渉し、下向きの送風が乱され、下向き送風の指向性が悪化する課題があった。
【０００７】
本考案は、上記の点に鑑みなされたものであり、可動ルーバの横フィンを下向きに調整したときの、下向き送風の指向性を改善することができるレジスタを提供することを目的とする。
【課題を解決するための手段】
【０００８】
本考案の請求項１のレジスタは、下壁と上壁を有する通風路の空気吹出口近傍に可動ルーバが配設され、該可動ルーバには複数の横フィンが枢軸を介して回動可能に並設され、該複数の横フィンの一端には連結軸が上流側に変位して突設され、該複数の横フィンの各連結軸が１本のリンクバーにより連結され、各横フィンを上下に連係回動させて風向を上下に調整するレジスタにおいて、
該空気吹出口近傍の該下壁にフィン収容室が形成され、該フィン収容室内に該可動ルーバの最下段の横フィンが収容可能に配設され、該最下段の横フィンの連結軸が該リンクバーの最下部に形成された長孔に係合し、該可動ルーバの横フィンを下向きに調整したとき、該最下段の横フィンは、該横フィンの後方部分を該フィン収容室から通風路側に突き出して、他の横フィンと同様に下向きに回動し、該可動ルーバの横フィンを下向きに調整した場合を除き、該最下段の横フィンは正面水平向きとなって該フィン収容室内に収容されることを特徴とする。
【０００９】
この考案によれば、下壁に設けたフィン収容室内に可動ルーバの最下段の横フィンが収容可能に配設され、可動ルーバの横フィンを下向きに調整したとき、最下段の横フィンが、横フィンの後方部分をフィン収容室から通風路側に突き出して、他の横フィンと同様に下向きに回動するので、下壁近傍の隙間から吹き出される風は、最下段の横フィンにガイドされて、他の横フィンによりガイドされる風と同様に斜め下向きに送風される。このため、最下段の横フィンと下壁の間から正面直進方向に向かう送風は発生せず、下向きの送風と正面直進方向の送風とが干渉することがないので、下向き送風の指向性を改善することができる。
【００１０】
また、可動ルーバの横フィンを下向き以外の正面または上に向けたとき、最下段の横フィンは正面水平向きとなって下壁のフィン収容室内に収容されるので、正面送風時などの圧力損失を低減することができる。また、フィン収容室内に収容された最下段の横フィンは正面からは見えにくくなり、見栄えの向上を図ることができる。
【００１１】
また、請求項２の考案は、上記請求項１のレジスタにおいて、上記リンクバーに設けた長孔は、該リンクバーの略長手方向に沿って略円弧状に形成され、上記可動ルーバの複数の横フィンを下向きに調整し、該リンクバーが上に移動するとき、該リンクバーの長孔の下縁部に、最下段の横フィンの連結軸が係合して該横フィンが下向きに回動し、該複数の横フィンが下向きの状態から正面方向を経て上向き回動したとき、該リンクバーの長孔の上縁部が該最下段の横フィンの連結軸に係合して該最下段の横フィンが前記フィン収容室内に水平状態で収容されることを特徴とする。
【００１２】
この考案によれば、長孔と連結軸の係合という簡単な機構により、横フィンを上向きに調整したとき、最下段の横フィンはフィン収容室内に水平状態で収容され、横フィンを上向きから正面方向に調整したときにも、最下段の横フィンはフィン収容室内に水平状態で収容されるようにして、横フィンの下向き調整時の送風の指向性を向上させることができる。
【００１３】
また、請求項３の考案は、上記請求項１のレジスタにおいて、上記空気吹出口がレジスタの正面を形成するベゼルに形成され、上記空気吹出口近傍の下壁は該ベゼルにおける該空気吹出口の下側縁部から内側に立ち下った位置に形成され、前記フィン収容室は該空気吹出口の下側縁部から内側に立ち下った位置から上流側の該下壁に形成されていることを特徴とする。
【００１４】
このフィン収容室は空気吹出口の内側直下に位置し、そこに最下段の横フィンが位置することとなるので、可動ルーバの複数の横フィンを下向きに調整したとき、最下段の横フィンがその上流側縁部をフィン収容室から空気吹出口近傍に近づけるように突き出し、下向きの指向性を向上させることができる。
【００１５】
また、請求項４の考案は、上記請求項３のレジスタにおいて、可動ルーバの上流側に後可動ルーバが複数の縦フィンを並設して配置され、該縦フィンの下側の枢軸を軸支する軸受部材が下壁を形成し、該軸受部材の軸孔近傍に設けた膨出部と上記空気吹出口の下側縁部との間に上記フィン収容室が形成されることを特徴とする。
【００１６】
このレジスタは、軸受部材により下壁を形成し、軸受部材の軸孔近傍に設けた膨出部と空気吹出口の下側縁部との間にフィン収容室を形成するので、最下段の横フィンを正面に向けた水平姿勢で収容可能なフィン収容室を、レジスタの外形形状などに影響を与えず容易に形成することができる。
【考案の効果】
【００１７】
本考案のレジスタによれば、可動ルーバの複数の横フィンを上下に回動可能としつつ、横フィンを下向きに調整したときの、下向き送風の指向性を改善することができる。
【図面の簡単な説明】
【００１８】
【図１】本考案の一実施形態を示すレジスタの正面図である。
【図２】同レジスタの右側面図である。
【図３】同レジスタの平面図である。
【図４】同レジスタの斜視図である。
【図５】同レジスタの分解斜視図である。
【図６】図１のVI-VI断面図である。
【図７】前可動ルーバを下向きに調整したときの断面図である。
【図８】前可動ルーバを上向きに調整したときの断面図である。
【図９】横フィンとリンクバーの連係を示す断面説明図であり、（ａ）は横フィンを正面に向けたとき、（ｂ）は横フィンを下方に向けたとき、（ｃ）は横フィンを上方に向けたときの説明図である。
【図１０】従来のレジスタの断面説明図である。
【考案を実施するための形態】
【００１９】
以下、本考案の一実施形態を図面に基づいて説明する。図１は車両のインストルメントパネルなどに装着される空調用のレジスタの正面図を示し、図２は同レジスタの右側面図を、図３は同レジスタの平面図を示し、図４はその斜視図を、図５はその分解斜視図を示している。
【００２０】
このレジスタは、略方形断面を有するダクト状に形成されたリテーナ２と、リテーナ２の前部に嵌着されるベゼル１を備え、ベゼル１及びリテーナ２の前部が、その下部を正面に突き出しその上部を後方に後退する傾斜形に形成され、ベセル１及びリテーナ２内には上壁６及び下壁７を有した通風路９が形成され、ベゼル１にはその通風路９に連通する空気吹出口８が形成される。
【００２１】
図５に示すように、方形枠状に形成されたベゼル１は、その空気吹出口８を形成する前面が上記のように傾斜して構成され、ベゼル１の背面側上部に１対の係止片１１が突設され、同様に、背面側下部に１対の係止片１２が背面に向けて突設され、リテーナ２側に設けた嵌合部２３に係止片１１，１２を嵌入し、係止片１１，１２をリテーナ２側の嵌合部２３の係止爪２１，２２に係止させて、リテーナ２の前部にベゼル１を嵌着するようになっている。
【００２２】
また、図６に示すように、ベゼル１の空気吹出口８における下側縁部の内側の下壁７に、フィン収容室１４が形成される。ベゼル１、リテーナ２、前可動ルーバ３、及び後可動ルーバ４を図５、６のように組み付けたとき、縦フィン４３の軸受部材４２の前部がリテーナ２の下凹部２４に進入し、通風路９の空気吹出口８近傍に生じた下壁７の凹部がフィン収容室１４として形成される。
【００２３】
リテーナ２は、図５，６に示す如く、略矩形断面のダクト状に形成され、その前部は、下部を前方に突き出し上部を後方に後退するように傾斜して形成され、さらに、その前上部には、上記ベゼル１の１対の係止片１１を嵌着させる嵌合部２３と共に係止爪２１が弾性変形可能に設けられ、その前下部にも、ベゼル１の下側の１対の係止片１２を嵌着させる嵌合部２３と共に係止爪２２が弾性変形可能に設けられている。
【００２４】
また、図５，６に示す如く、リテーナ２の内側下前部には、上記フィン収容室１４に対応して１段低くした下凹部２４が設けられ、その部分に後可動ルーバ４の縦フィン４３の下側の軸受部材４２が嵌合される。また、リテーナ２の内側上前部には、１段高くした上凹部２６が設けられ、その部分に後可動ルーバ４の縦フィン４３の上側の軸受部材４１が嵌合される。さらに、リテーナ２の内側前部の左右側壁には、段差を付けた側凹部２５が設けられ、その側凹部２５に前可動ルーバ３の左右の軸受部材３１，３２が嵌合される。
【００２５】
ベゼル１とリテーナ２を組み付ける場合、リテーナ２内の前部つまりベゼル１とリテーナ２の間に、複数の横フィン３３を有した前可動ルーバ３が組み付けられ、前可動ルーバ３の後方（上流側）には前可動ルーバ３の横フィン３３と略直交する縦フィン４３を有した後可動ルーバ４が組み付けられる。図５，６に示すように、前可動ルーバ３は、リテーナ２内の前部の側凹部２５に嵌着される軸受部材３１、３２、軸受部材３１，３２に軸支される複数（この実施形態では５枚）の横フィン３３、及び横フィン３３の連結軸３３ｂに連結され全ての横フィン３３を連係して回動させるための１本のリンクバー３４を備えて構成される。
【００２６】
各横フィン３３は、両端の前側（下流側）に枢軸３３ａを突設し、一方の端部の後側（上流側）に連結軸３３ｂを突設して構成され、図５に示すように、中央の横フィン３３には、その一方の側部に、回動角度範囲を制限するための制限軸３３ｃが突設され、さらに操作ノブ５が摺動可能に外嵌されている。横フィン３３の枢軸３３ａを軸支する軸受部材３１，３２は、リテーナ２内の前部両側の側凹部２５に嵌着されるように板状に形成され、軸受部材３１，３２には、各横フィン３３の枢軸３３ａを挿入して軸支する軸孔３１ａ，３２ａが間隔をおいて形成される。また、一方の側の軸受部材３１には、中央の横フィン３３の制限軸３３ｃが係合する係合凹部３１ｂが設けられている。
【００２７】
前可動ルーバ３のリンクバー３４は、図５，９に示すように、上位４本の横フィン３３の連結軸３３ｂを挿入するための４個の軸孔３４ａを、所定の間隔をおいて設けると共に、最下段の横フィン３３Ａの連結軸３３ｂを挿入するための長孔３４ｂを設けて構成される。長孔３４ｂは、リンクバー３４の下端部に且つ長手方向に略沿って略円弧状に形成され、長孔３４ｂを有したリンクバー３４は、前可動ルーバ３を図７のように、下向きに調整したときのみ、最下段の横フィン３３Ａを下向きに回動させ、各横フィン３３を下向き以外の上向き或いは正面向きとしたときには、最下段の横フィン３３Ａをフィン収容室１４内に正面水平向きに収容するように、各横フィン３３，３３Ａを連係動作させる。
【００２８】
フィン収容室１４は空気吹出口８の下側縁部から内側に立ち下った部位に形成され、その部位に軸受部材４２の平坦前部が挿入され、そこにフィン収容室１４が形成される。このフィン収容室１４は、図６に示すように、軸受部材４２の膨出部４２ｂの頂部と空気吹出口８の下側縁部とを結ぶ線と下壁７の間の、高さｈの空間に形成され、高さｈより薄い厚さを持つ横フィン３３Ａがフィン収容室１４内に正面を向いた水平姿勢で収容される。
【００２９】
後可動ルーバ４は、通風路９内における前可動ルーバ３の後方（上流側）に、横フィン３３と略直交する縦フィン４３を有して配設され、複数（ここでは５枚）の縦フィン４３が一定の間隔をおいて縦に並設されると共に、図５，６に示すように、各縦フィン４３はリテーナ２内の上下の軸受部材４１，４２により回動可能に支持される。また、各縦フィン４３の上端に突設した連結軸４３ｂに１本のリンクバー４４が連結され、全ての縦フィン４３を連係して左右に回動させ、左右方向に送風を調整する構造である。
【００３０】
つまり、各縦フィン４３は上下に突設された枢軸４３ａを有し、上部の枢軸４３ａを上側の軸受部材４１の軸孔４１ａに挿入し、下部の枢軸４３ａを下側の軸受部材４２の軸孔４２ａに挿入し、左右方向に回動可能に軸支される。
【００３１】
軸孔４１ａを有した上側の軸受部材４１は図５，６に示すように、リテーナ２の前上部に設けた上凹部２６内に嵌入して組み付けられ、軸孔４２ａを有した下側の軸受部材４２は、リテーナ２の前下部に設けた下凹部２４内に嵌入して組み付けられる。
【００３２】
図５、６に示すように、下側の軸受部材４２は、軸孔４２ａ近傍に設けた膨出部４２ｂと、膨出部４２ｂから前方に延設された平坦部を有して構成され、リテーナ前部の下凹部２４内に嵌入して取り付けられ、図６に示す如く、軸受部材４２の前部平坦部上にフィン収容室１４が形成される。上記のように、後可動ルーバ４の各縦フィン４３の上端部には連結軸４３ｂが突設され、１本のリンクバー４４が各縦フィン４３の連結軸４３ｂに回動可能に連結され、全ての縦フィン４３が連係して枢軸４３ａを中心に左右に回動する。
【００３３】
さらに、中央に位置する縦フィン４３の前部に、扇形歯車４５が取り付けられ、この扇形歯車４５は、操作ノブ５の後部に設けたラック状の歯部５ｂと係合し、連係部を構成している。操作ノブ５は、上述の如く、前可動ルーバ３の中央の横フィン３３上に、前方に突き出す形態で摺動可能に外嵌されている。この操作ノブ５は、その上下の回動操作により、前可動ルーバ３の各横フィン３３の向きを上または下に調整し、操作ノブ５の左右方向の摺動操作により、連係部を介して後可動ルーバ４の縦フィン４３の左右方向を左または右に調整する構造となっている。
【００３４】
上記構成のレジスタを組み立てる場合、先ず、後可動ルーバ４の各縦フィン４３の上下に軸受部材４１，４２を、それらの各枢軸４３ａを上下の各軸受部材４１，４２の軸孔４１ａ，４２ａに嵌め込んで組み付け、さらに１本のリンクバー４４を各縦フィン４３の上端の連結軸４３ｂに連結させる。次に、この後可動ルーバ４の組付体をリテーナ２の前部に挿入し、上側の軸受部材４１を上凹部２６内に嵌入し、下側の軸受部材４２をリテーナ２の前部の下凹部２４内に嵌入して、後可動ルーバ４をリテーナ２内に組み付ける。
【００３５】
次に、前可動ルーバ３の各横フィン３３の左右両側に軸受部材３１，３２を、各軸受部材３１，３２の軸孔３１ａ，３２ａに各横フィン３３の枢軸３３ａを嵌め込んで組み付け、さらに１本のリンクバー３４を各横フィン３３の上端の連結軸３３ｂに連結させる。このとき、最下段の横フィン３３Ａの両側の連結軸３３ｂは、リンクバー３４の下部の長孔３４ｂに挿入される。
【００３６】
次に、この前可動ルーバ３の組付体を、リテーナ２の前部に、左右両側の軸受部材３１，３２を側凹部２５内に嵌入して組み付け、その状態で、ベゼル１をリテーナ２の前部に、ベゼル１の背面側の係止片１１，１２をリテーナ２の嵌合部２３に嵌入して、係止片１１，１２の先端を係止爪２１，２２に係止させ、リテーナ２の前部にベゼル１を嵌着する。
【００３７】
この状態で、前可動ルーバ３の横フィン３３に外嵌させた操作ノブ５の歯部５ｂが、後方の後可動ルーバ４の縦フィン４３の扇形歯車４５に噛合し、操作ノブ５を横フィン３３上で左右にスライドさせると、後可動ルーバ４の各縦フィン４３が枢軸４３ａを支点に左右に回動し、風向つまり空気の吹出方向を左右に調整することができる。なお、通風路９内における後可動ルーバ４の上流側には、ダンパプレートを取り付け、ダンパプレートを回動させて通風路９を開閉するように構成することもできる。
【００３８】
空気の吹出方向を上または下に調整する場合、例えば、図９（ａ）のように、前可動ルーバ３の横フィン３３が正面水平状態にあるとき、操作ノブ５を上に向けるように操作すると、前可動ルーバ３の横フィン３３がその枢軸３３ａを支点にフィンの前部を上側に回動し、連結軸３３ｂの位置を下げるため、リンクバー３４による連係動作により、図９（ｃ）のように、最下段の横フィン３３Ａを除く全ての横フィン３３がその向きを上に変化させ、空気の吹出方向が上に調整される。このとき、最下段の横フィン３３Ａの連結軸３３ｂは、リンクバー３４の長孔３４ｂに係合するため、横フィン３３Ａは、図９（ｃ）の如く、連結軸３３ｂの位置を下げず、つまり上向きに回動せずに、正面水平状態を維持しフィン収容室１４内に保持される。通風路９から空気吹出口８を通して送風される空気流は、上向きに調整された前可動ルーバ３の横フィン３３により、上方に向けて送風される。
【００３９】
このような前可動ルーバ３を上向きにした状態から、操作ノブ５を下に向けるように操作すると、前可動ルーバ３の横フィン３３がその枢軸３３ａを支点にフィンの前部を下側に回動し、連結軸３３ｂの位置を上げるため、リンクバー３４による連係動作により、図９（ａ）のように、最下段の横フィン３３Ａを除く全ての横フィン３３がその向きを正面水平方向とし、空気の吹出方向が正面水平方向に調整される。
【００４０】
一方、図９（ａ）のように、前可動ルーバ３の横フィン３３が正面水平状態にあるとき、操作ノブ５を下に向けるように操作すると、前可動ルーバ３の横フィン３３がその枢軸３３ａを支点にフィンの前部を下側に回動し、連結軸３３ｂの位置を上げ、リンクバー３４が上昇するため、図９（ｂ）のように、全ての横フィン３３がその枢軸３３ａを支点にフィンの前部を下向きにするように回動し、前可動ルーバ３の全ての横フィン３３が下向きに調整される。
【００４１】
このとき、フィン収容室１４内の最下段の横フィン３３Ａも、リンクバー３４の上昇と共に、その連結軸３３ｂがリンクバー３４の長孔３４ｂの下端に係合して引き上げられて、下向きに回動し、全ての横フィン３３、３３Ａが下向きに調整されることとなる。これにより、空気吹出口８からは指向性の良好な下向きの送風が行われる。
【００４２】
このように、操作ノブ５を操作して前可動ルーバ３の向きを下向きに調整したとき、全ての横フィン３３が下向きに回動し、特に最下段の横フィン３３Ａも下向きに回動するため、最下段の横フィン３３Ａと下壁７の間から正面直進方向に向かう送風は発生せず、下向きの送風と正面直進方向の送風との干渉を防止して、下向き送風の指向性を改善することができる。
【００４３】
また、前可動ルーバ３の横フィン３３を下向き以外の正面または上に向けたとき、最下段の横フィン３３Ａは正面水平向きとなって下壁７のフィン収容室１４内に収容されるので、正面送風時などの圧力損失を低減することができる。また、フィン収容室１４内に収容された最下段の横フィン３３Ａは正面からは見えにくくなり、見栄えの向上を図ることができる。
【００４４】
さらに、横フィン３３を上向きに調整したときには、最下段の横フィン３３Ａはフィン収容室１４内に水平状態で収容され、横フィン３３を上向きから正面方向に調整したときにも、最下段の横フィン３３Ａはフィン収容室１４内に水平状態で収容されるので、リンクバー３４の長孔３４ｂと横フィンの連結軸３３ｂの係合という簡単な機構により、横フィン３３の下向き調整時の送風の指向性を向上させることができる。
【００４５】
さらに、フィン収容室１４は空気吹出口８の内側直下に位置し、そこに最下段の横フィン３３Ａが位置することとなるので、前可動ルーバ３の横フィン３３を下向きに調整したとき、最下段の横フィン３３Ａがその上流側縁部をフィン収容室１４から空気吹出口８近傍に近づけるように突き出し、下向きの指向性を向上させることができる。
【００４６】
さらに、後可動ルーバ４の下側の軸受部材４２により下壁７を形成し、軸受部材４２の軸孔４２ａ近傍に設けた膨出部４２ｂと空気吹出口８の下側縁部との間にフィン収容室１４を形成しているので、最下段の横フィン３３Ａを正面に向けた水平姿勢で収容可能なフィン収容室１４を、レジスタの外形形状などに影響を与えず容易に形成することができる。
【００４７】
なお、本考案は、上記の実施態様に限定されるものではなく、以下のような態様でも実施可能である。
【００４８】
上記実施形態では、後可動ルーバ４における縦フィン４３の下部の枢軸を支持する軸受部材４２に延設部を設け、その延設部をリテーナ２の前部の下凹部２４に挿入し、フィン収容室１４を有する下壁７としたが、軸受部材４２を用いず、リテーナ２の一部としてフィン収容室１４を形成することもできる。
【００４９】
上記では、前可動ルーバ３の横フィン３３に外嵌させた操作ノブ５により、前可動ルーバ３を上下に回動させ、操作ノブ５の摺動操作により後可動ルーバ４を左右に回動させたが、ベゼル１などの別の位置に設けた操作ノブにより、前可動ルーバ又は後可動ルーバを回動操作するようにしてもよい。
【符号の説明】
【００５０】
１      ベゼル
２      リテーナ
３      前可動ルーバ
４      後可動ルーバ
５      操作ノブ
６      上壁
７      下壁
８      空気吹出口
９      通風路
１１    係止片
１２    係止片
１４    フィン収容室
２１    係止爪
２２    係止爪
２３    嵌合部
３１    軸受部材
３１ａ  軸孔
３１ｂ  係合凹部
３２ａ  軸孔
３３    横フィン
３３Ａ  横フィン
３３ａ  枢軸
３３ｂ  連結軸
３４    リンクバー
３４ａ  軸孔
３４ｂ  長孔
４１    軸受部材
４１ａ  軸孔
４２    軸孔
４２    軸受部材
４２ａ  軸孔
４２ｂ  膨出部
４３    縦フィン
４３ａ  枢軸
４３ｂ  連結軸
４４    リンクバー
【図１】
0003161206.tif 000003
【図２】
0003161206.tif 000004
【図３】
0003161206.tif 000005
【図４】
0003161206.tif 000006
【図５】
0003161206.tif 000007
【図６】
0003161206.tif 000008
【図７】
0003161206.tif 000009
【図８】
0003161206.tif 000010
【図９】
0003161206.tif 000011
【図１０】
0003161206.tif 000012